(57)【要約】【課題】パッケージからの抜き取りによる光ディスクの盗難の防止を図る。【解決手段】ピット・ランドの組み合わせで情報が記録され、販売店等において商品として陳列される光ディスク記録媒体として、所定のピット部分が形成されるべき位置に対しランド部分を挿入しておき、再生不能な状態としておく。商品購入に応じた所定条件の成立に応じ、上記ランド部分に対する追記動作を行い、上記ランド部分をピット化して再生可能な状態に復元する。これによってディスクの抜き取りよる盗難を効果的に防止することができる。【選択図】図６
2008159212.tif 000002
【特許請求の範囲】
【請求項１】
ピット・ランドの組み合わせで情報が記録される光ディスク記録媒体であって、フォーマット上各光ディスク記録媒体で共通位置に記録されるべきとされるデータパターン内の所定のピット部分に対しランド部分が挿入されるようにして形成されている、
ことを特徴とする光ディスク記録媒体。
【請求項２】
上記ランド部分は、フォーマット上所定間隔で挿入されるべきとされるシンクパターン内の所定長ピット部分に対して挿入されている、
ことを特徴とする請求項１に記載の光ディスク記録媒体。
【請求項３】
上記ランド部分は、リードインエリア内における上記所定のピット部分に対して挿入されていることを特徴とする請求項１に記載の光ディスク記録媒体。
【請求項４】
上記光ディスク記録媒体はＣＤであり、上記ランド部分は、ＴＯＣエリア内においてシンクパターン中の１１Ｔのピット部分に対し挿入されている、
ことを特徴とする請求項１に記載の光ディスク記録媒体。
【請求項５】
上記光ディスク記録媒体はＤＶＤであり、上記ランド部分は、ＰＦＩエリア内においてシンクパターン中の１４Ｔのピット部分に対して挿入されている、
ことを特徴とする請求項１に記載の光ディスク記録媒体。
【請求項６】
上記光ディスク記録媒体はＢＤであり、上記ランド部分は、ＰＩＣエリアにおいてシンクパターン中の９Ｔのピット部分に対して挿入されている、
ことを特徴とする請求項１に記載の光ディスク記録媒体。
【請求項７】
上記リードインエリアよりも内周領域において、上記リードインエリア内のシンク間隔と等間隔となるようにして助走用シンクが挿入されている、
ことを特徴とする請求項３に記載の光ディスク記録媒体。
【請求項８】
上記ランド部分は、ファイルシステム管理情報が記録されるエリア内における上記所定のピット部分に対して挿入されていることを特徴とする請求項１に記載の光ディスク記録媒体。
【請求項９】
フォーマット上各光ディスク記録媒体で共通位置に記録されるべきとされるデータパターン内の所定のピット部分に対しランド部分が挿入されるようにしてディスク原盤に対してレーザカッティングを施す原盤生成工程と、
上記原盤生成工程で生成された上記ディスク原盤をもとに作成したスタンパによってピット・ランドパターンが転写されたディスク基板を生成すると共に、上記ディスク基板に対して少なくとも反射膜成膜処理を含む所定処理を施すことで光ディスク記録媒体を形成するディスク形成工程と、
を備えることを特徴とするディスク製造方法。
【請求項１０】
ピット・ランドの組み合わせで情報が記録される光ディスク記録媒体として、フォーマット上各光ディスク記録媒体で共通位置に記録されるべきとされるデータパターン内の所定のピット部分に対しランド部分が挿入されるようにして形成されている光ディスク記録媒体に対して追記を行う追記装置であって、
上記光ディスク記録媒体に対して所定の記録パワーによるレーザ光照射を行うレーザ光照射手段と、
上記所定のピット部分に挿入された上記ランド部分を対象として上記レーザ光による追記動作が行われるように上記レーザ光照射手段を制御する追記制御手段と、
を備えることを特徴とする追記装置。
【請求項１１】
上記ランド部分は、フォーマット上所定間隔で挿入されるべきとされるシンクパターン内の所定長ピット部分に対して挿入されており、
上記追記制御手段は、
上記所定長ピット部分に挿入された上記ランド部分も含めたパターンを追記時のシンクパターンとして検出した結果に基づき、上記ランド部分を対象として上記レーザ光による追記動作が行われるように上記レーザ光照射手段を制御する、
ことを特徴とする請求項１０に記載の追記装置。
【請求項１２】
上記光ディスク記録媒体には、上記ランド部分がリードインエリア内のシンクパターン内の所定長ピット部分に対して挿入されていると共に、上記リードインエリアよりも内周領域において、上記リードインエリア内のシンク間隔と等間隔となるようにして助走用シンクが挿入されており、
上記追記制御手段は、
上記助走用シンクの検出間隔から上記ランド部分のタイミングを推定した結果に基づき、上記ランド部分を対象として上記レーザ光による追記動作が行われるように上記レーザ光照射手段を制御する、
ことを特徴とする請求項１０に記載の追記装置。
【請求項１３】
ピット・ランドの組み合わせで情報が記録される光ディスク記録媒体であって、リードインエリア内の所定長のピット部分が形成されるべき位置に対しランド部分が挿入されるようにして形成されている、
ことを特徴とする光ディスク記録媒体。
【請求項１４】
リードインエリア内の所定長のピット部分が形成されるべき位置に対しランド部分が挿入されるようにしてディスク原盤に対してレーザカッティングを施す原盤生成工程と、
上記原盤生成工程で生成された上記ディスク原盤をもとに作成したスタンパによってピット・ランドパターンが転写されたディスク基板を生成すると共に、上記ディスク基板に対して少なくとも反射膜成膜処理を含む所定処理を施すことで光ディスク記録媒体を形成するディスク形成工程と、
を備えることを特徴とするディスク製造方法。
【請求項１５】
ピット・ランドの組み合わせで情報が記録される光ディスク記録媒体として、リードインエリア内の所定長のピット部分が形成されるべき位置に対しランド部分が挿入されるようにして形成されている光ディスク記録媒体に対して追記を行う追記装置であって、
上記光ディスク記録媒体に対して所定の記録パワーによるレーザ光照射を行うレーザ光照射手段と、
上記所定長のピット部分に挿入された上記ランド部分を対象として上記レーザ光による追記動作が行われるように上記レーザ光照射手段を制御する追記制御手段と、
を備えることを特徴とする追記装置。
【請求項１６】
ピット・ランドの組み合わせで情報が記録される光ディスク記録媒体であって、ファイルシステム管理情報が記録されるエリア内の所定長のピット部分が形成されるべき位置に対しランド部分が挿入されるようにして形成されている、
ことを特徴とする光ディスク記録媒体。
【請求項１７】
ファイルシステム管理情報が記録されるエリア内の所定長のピット部分が形成されるべき位置に対しランド部分が挿入されるようにしてディスク原盤に対してレーザカッティングを施す原盤生成工程と、
上記原盤生成工程で生成された上記ディスク原盤をもとに作成したスタンパによってピット・ランドパターンが転写されたディスク基板を生成すると共に、上記ディスク基板に対して少なくとも反射膜成膜処理を含む所定処理を施すことで光ディスク記録媒体を形成するディスク形成工程と、
を備えることを特徴とするディスク製造方法。
【請求項１８】
ピット・ランドの組み合わせで情報が記録される光ディスク記録媒体として、ファイルシステム管理情報が記録されるエリア内の所定長のピット部分が形成されるべき位置に対しランド部分が挿入されるようにして形成されている光ディスク記録媒体に対して追記を行う追記装置であって、
上記光ディスク記録媒体に対して所定の記録パワーによるレーザ光照射を行うレーザ光照射手段と、
上記所定長のピット部分に挿入された上記ランド部分を対象として上記レーザ光による追記動作が行われるように上記レーザ光照射手段を制御する追記制御手段と、
を備えることを特徴とする追記装置。
【請求項１９】
店舗にてパッケージメディアとして販売される光ディスク記録媒体として、所定長のピット部分が形成されるべき位置に対しランド部分が挿入されるようにして形成されている上記光ディスク記録媒体について、商品購入に応じた所定条件の成立に応じ、上記所定長のピット部分に挿入された上記ランド部分を対象として所定の記録パワーによるレーザ光を照射する追記動作を行うことで、本来のデータパターンを復元して上記光ディスク記録媒体を再生可能な状態にする、
ことを特徴とする防犯方法。
【発明の詳細な説明】
【技術分野】
【０００１】
本発明は、ピット・ランドの組み合わせで情報が記録される光ディスク記録媒体とその製造方法とに関する。また、ピット・ランドの組み合わせにより情報が記録される光ディスク記録媒体について追記を行う追記装置、及び防犯方法に関する。
【背景技術】
【０００２】
従来より、ＣＤ（Compact Disc）、ＤＶＤ（Digital Versatile Disc）、ＢＤ（Blu-ray Disc：登録商標）などの光ディスク記録媒体を情報記録担体としたパッケージメディアを販売するということが行われている。
このようなパッケージメディアを販売する店舗においては、万引き等により商品が不正に持ち出される犯罪被害が後を絶たない。現状において、このような万引きへの対策としては、商品に防犯タグを付しておくといったことが行われている。例えば、店舗出入り口付近などにタグの通過を検出すると警報を発するような防犯装置を設置しておき、タグの付いた商品が店外に持ち出されそうになったとき、これを検出して警報による通知を行うといったものである。
【０００３】
なお、関連する従来技術については下記特許文献を挙げることができる。
【特許文献１】特許第３４０５９８０号公報
【発明の開示】
【発明が解決しようとする課題】
【０００４】
しかしながら、万引きの手口としては、商品をそのまま店外へ持ち出すといったもの以外にも、パッケージを開封して中身のメディアを抜き取って持ち去るといったケースも確認されている。このような手口に対し、上述のような防犯タグによる対策では万引きの防止を有効に図ることが非常に困難となる。
【課題を解決するための手段】
【０００５】
そこで、本発明では以上のような問題点に鑑み、光ディスク記録媒体として以下のように構成することとした。
つまり、本発明の光ディスク記録媒体は、ピット・ランドの組み合わせで情報が記録される光ディスク記録媒体であって、フォーマット上各光ディスク記録媒体で共通位置に記録されるべきとされるデータパターン内の所定のピット部分に対しランド部分が挿入されるようにして形成されているものである。
【０００６】
また、本発明ではディスク製造方法として以下のようにすることとした。
すなわち、フォーマット上各光ディスク記録媒体で共通位置に記録されるべきとされるデータパターン内の所定のピット部分に対しランド部分が挿入されるようにしてディスク原盤に対してレーザカッティングを施す原盤生成工程を備える。
また、上記原盤生成工程で生成された上記ディスク原盤をもとに作成したスタンパによってピット・ランドパターンが転写されたディスク基板を生成すると共に、上記ディスク基板に対して少なくとも反射膜成膜処理を含む所定処理を施すことで光ディスク記録媒体を形成するディスク形成工程を備えるものである。
【０００７】
また、本発明では追記装置として以下のように構成することとした。
つまり、本発明の追記装置は、ピット・ランドの組み合わせで情報が記録される光ディスク記録媒体として、フォーマット上各光ディスク記録媒体で共通位置に記録されるべきデータパターン内の所定のピット部分に対しランド部分が挿入されるようにして形成されている光ディスク記録媒体に対して追記を行う追記装置であって、上記光ディスク記録媒体に対して所定の記録パワーによるレーザ光照射を行うレーザ光照射手段を備える。
また、上記所定のピット部分に挿入された上記ランド部分を対象として上記レーザ光による追記動作が行われるように上記レーザ光照射手段を制御する追記制御手段を備えるものである。
【０００８】
また、本発明では光ディスク記録媒体として以下のようにも構成することとした。
つまり、ピット・ランドの組み合わせで情報が記録される光ディスク記録媒体であって、リードインエリア内の所定長のピット部分が形成されるべき位置に対しランド部分が挿入されるようにして形成されているものである。
【０００９】
また、本発明ではディスク製造方法として以下のようにすることとした。
すなわち、リードインエリア内の所定長のピット部分が形成されるべき位置に対しランド部分が挿入されるようにしてディスク原盤に対してレーザカッティングを施す原盤生成工程を備える。
また、上記原盤生成工程で生成された上記ディスク原盤をもとに作成したスタンパによってピット・ランドパターンが転写されたディスク基板を生成すると共に、上記ディスク基板に対して少なくとも反射膜成膜処理を含む所定処理を施すことで光ディスク記録媒体を形成するディスク形成工程を備えるものである。
【００１０】
また、本発明では追記装置として以下のようにも構成することとした。
すなわち、ピット・ランドの組み合わせで情報が記録される光ディスク記録媒体として、リードインエリア内の所定長のピット部分が形成されるべき位置に対しランド部分が挿入されるようにして形成されている光ディスク記録媒体に対して追記を行う追記装置であって、上記光ディスク記録媒体に対して所定の記録パワーによるレーザ光照射を行うレーザ光照射手段を備える。
また、上記所定長のピット部分に挿入された上記ランド部分を対象として上記レーザ光による追記動作が行われるように上記レーザ光照射手段を制御する追記制御手段を備えるものである。
【００１１】
また、本発明では光ディスク記録媒体として以下のようにも構成することとした。
つまり、ピット・ランドの組み合わせで情報が記録される光ディスク記録媒体であって、ファイルシステム管理情報が記録されるエリア内の所定長のピット部分が形成されるべき位置に対しランド部分が挿入されるようにして形成されているものである。
【００１２】
また、本発明ではディスク製造方法として以下のようにすることとした。
すなわち、ファイルシステム管理情報が記録されるエリア内の所定長のピット部分が形成されるべき位置に対しランド部分が挿入されるようにしてディスク原盤に対してレーザカッティングを施す原盤生成工程を備える。
また、上記原盤生成工程で生成された上記ディスク原盤をもとに作成したスタンパによってピット・ランドパターンが転写されたディスク基板を生成すると共に、上記ディスク基板に対して少なくとも反射膜成膜処理を含む所定処理を施すことで光ディスク記録媒体を形成するディスク形成工程を備えるものである。
【００１３】
また、本発明では追記装置として以下のようにも構成することとした。
すなわち、ピット・ランドの組み合わせで情報が記録される光ディスク記録媒体として、ファイルシステム管理情報が記録されるエリア内の所定長のピット部分が形成されるべき位置に対しランド部分が挿入されるようにして形成されている光ディスク記録媒体に対して追記を行う追記装置であって、上記光ディスク記録媒体に対して所定の記録パワーによるレーザ光照射を行うレーザ光照射手段を備える。
また、上記所定長のピット部分に挿入された上記ランド部分を対象として上記レーザ光による追記動作が行われるように上記レーザ光照射手段を制御する追記制御手段を備えるものである。
【００１４】
さらに、本発明では防犯方法として以下のようにすることとした。
つまり、店舗にてパッケージメディアとして販売される光ディスク記録媒体として、所定長のピット部分が形成されるべき位置に対しランド部分が挿入されるようにして形成されている上記光ディスク記録媒体について、商品購入に応じた所定条件の成立に応じ、上記所定長のピット部分に挿入された上記ランド部分を対象として所定の記録パワーによるレーザ光を照射する追記動作を行うことで、本来のデータパターンを復元して上記光ディスク記録媒体を再生可能な状態にするものである。
【００１５】
上記のようにして、所定のピット部分にランド部分を挿入しておけば、パッケージから抜き出して持ち去られたとしても、その光ディスク記録媒体についての再生は不能とすることができる。一方で、例えば正規に購入された光ディスク記録媒体については、店頭等において、商品購入に応じた所定条件の成立に応じて上記ランド部分を対象とした追記を行うことによって、上記ランド部分をピット化し、本来のパターンを復元して光ディスク記録媒体を再生可能な状態とすることができる。
【００１６】
このとき、上述のようにしてランド部分の挿入位置を、例えばシンクパターンなどフォーマット上各光ディスク記録媒体で共通位置となるべきデータパターン内の所定のピット部分としておくことで、記録されるコンテンツのタイトルが異なる場合であっても、ランド部分の挿入位置は各光ディスク記録媒体間で共通とすることができる。
【００１７】
また、ランド部分の挿入位置をリードインエリア内またはファイルシステム管理情報が記録されるエリア内とすれば、管理情報の再生を不能として、効率良く光ディスク記録媒体を再生不能な状態とすることができる。
【発明の効果】
【００１８】
上記のようにして本発明によれば、万引き等の盗難で店舗から不正に持ち出された光ディスク記録媒体についての再生を不能とすることができる。また、一方で、正規に購入された光ディスク記録媒体については、ランド部分に対する追記が行われることで再生可能な状態とすることができる。このような本発明によれば、万引き等による盗難を効果的に防止することができる。
本発明の光ディスク記録媒体によれば、このような盗難防止を図る優れた光ディスク記録媒体を提供することができ、また本発明のディスク製造装置によれば、盗難防止効果を奏する光ディスク記録媒体を製造することができる。さらに、本発明の追記装置によれば、上記用途に則して本発明の光ディスク記録媒体を再生可能な状態とすることのできる装置を提供することができる。
【００１９】
また、上記ランド部分を、例えばシンクパターンなどフォーマット上各光ディスク記録媒体で共通位置となるデータパターン内の所定のピット部分に対し挿入する本発明によれば、記録されるコンテンツのタイトルが異なる場合であっても、ランド部分の挿入位置は各光ディスク記録媒体間で共通とすることができ、これによって追記時には、追記装置側でタイトルごとに異なる追記位置を可変的に設定しなくても済むものとできる。これによれば、より簡易な構成の追記装置とすることができる。
【００２０】
また、ランド部分の挿入位置をリードインエリア内またはファイルシステム管理情報が記録されるエリア内とした本発明によれば、管理情報の再生を不能として、効率良く光ディスク記録媒体を再生不能な状態とすることができる。このように再生不能とするにあたりランド部分の挿入箇所をより少なくすることができれば、再生可能とするための追記箇所もその分少なくすることができる。これによれば、再生可能とするための追記に要する時間も短縮化することができ、その分追記完了までの待ち時間も短縮化することができる。
【発明を実施するための最良の形態】
【００２１】
以下、発明を実施するための最良の形態（以下実施の形態とする）について説明していく。
図１は、本発明の光ディスク記録媒体の一実施形態としての光ディスクＤの平面図である。
ここでは、光ディスクＤがＣＤ（Compact Disc）である場合を例に挙げる。この光ディスクＤは、ピット・ランドの組み合わせによって情報が記録された、いわゆるＲＯＭ（Read Only Memory）タイプの光ディスク記録媒体である。
実施の形態の光ディスクＤでは、図中に示すリードイン（Lead-in）エリア内のデータパターンに特徴を有する。以下、このことについて図２、図３を参照して説明する。
【００２２】
図２は、ＣＤの記録変調符号化で採用されているＥＦＭ（Eight to Fourteen Modulation）変調で規定されるシンクパターン（ＥＦＭシンクパターン）を模式的に示している。
図示するようにＥＦＭシンクパターンは、１１Ｔ（チャンネルビット）のピットと１１Ｔのランドとにより形成される。
本実施の形態の光ディスクＤでは、このようなＥＦＭシンクパターンについて、１１Ｔのピット部分に対して図中の斜線部により示すようなランド部分を意図的に挿入するものとしている。具体的には、１１Ｔのピット区間のうち、始めの２Ｔ区間はピットの状態で残し、次の３Ｔ区間をランドとする。さらにこの３Ｔランド区間に続いては２Ｔのピット区間の後に２Ｔのランド区間を挿入するものとしている。
これによって本来のシンクパターンである「１１Ｔピット→１１Ｔランド」は、「２Ｔピット→３Ｔランド→２Ｔピット→２Ｔランド→２Ｔピット→１１Ｔランド」に変更されることになる。
【００２３】
本実施の形態では、このようなシンクパターンの改変を、リードインエリア内の例えば全域を対象として行うものとしている。ＣＤの場合、リードインエリア内にはＴＯＣ（Table Of Contens）情報が記録されているので、換言すれば、ＴＯＣエリア内の全域でシンクパターンに図３のような改変を与えているものである。
【００２４】
図４は、上記のような光ディスクＤを製造するための製造方法について説明するための図である。
先ず、光ディスクＤを製造するにあたっては、図中のフォーマット化工程Ｓ１１を実行する。このフォーマット化工程Ｓ１１は、例えばコンピュータ等を用いて行うことになる。具体的には、光ディスクＤに対して記録されるべきコンテンツデータ（ユーザデータ）について、ＣＤ規格に応じたフォーマットデータ列が得られるように変換動作を行う。このフォーマット化工程Ｓ１１では、ユーザデータに対する誤り検出符号及び誤り訂正符号の付加、インターリーブ処理等も行うようにされる。
【００２５】
可変長変調工程Ｓ１２では、上記フォーマット化工程Ｓ１１により生成されたデータ列に対して可変長変調処理を施すと共に、図中シンクパターン挿入工程Ｓ１２ａと示すように、シンクパターンの生成・挿入も行う。可変長符号として、ＣＤの場合は先に述べたＥＦＭ変調を行う。そして、上記シンクパターン挿入工程Ｓ１２ａでは、図３に示したようなシンク部分に相当するデータパターンを生成し、これをＥＦＭによる変調を受けたデータ列のうち、リードインエリア内に記録されるべきデータ列内に対し所定間隔で挿入する。なおこの場合、データ列のうち、リードインエリア外に記録されるデータ列に対しては、図２に示したような本来のシンクパターンを生成し、これを所定間隔で挿入していけばよい。
このような工程で得られるデータ列の”０””１”パターンが、実際に光ディスクＤに対してピットとランドの組み合わせにより記録されるデータパターンとなる。
【００２６】
続いて、原盤生成工程Ｓ１３を行う。原盤生成工程Ｓ１３は、マスタリング装置を用いて行う。
原盤生成工程Ｓ１３では、先ずガラス原盤に対してフォトレジストを塗布する。そして、このようにフォトレジストが塗布されたガラス原盤を回転駆動した状態で上記可変長変調工程Ｓ１２にて生成したデータ列に基づくレーザ光照射を行うことで、記録トラックに沿った凹凸のパターンを形成する。つまり、このようなレーザカッティングによりピットとランドを形成していく。
次いで、レジストを現像処理することで除去し、さらに原盤表面に対して電解メッキを施すことで、図示する金属原盤Ｄ１４を生成する。
【００２７】
このように生成した金属原盤Ｄ１４を用いて、ディスク形成工程Ｓ１５を行う。
ディスク形成工程Ｓ１５では、先ず上記金属原盤Ｄ１４をもとにスタンパを作成する。そして、このスタンパを成形金型内に配置して、射出成形機を用いてポリカーボネートやアクリル等の透明樹脂によりディスク基板を形成する。
そして、このディスク基板に対して、反射膜を例えば蒸着等により成膜し、この反射膜上に保護膜を成膜し、さらに必要に応じてレーベル印刷を施すことで光ディスクＤが形成されることになる。
【００２８】
このようにして生成された光ディスクＤには、先の変調工程Ｓ１２にて生成されたデータに応じたピット・ランドのパターンが記録トラックに沿って形成されていることになる。すなわち、光ディスクＤには、リードインエリア内の全域で、シンクパターン内に形成されるべき１１Ｔのピット部分に対し、先の図３に示したようにしてランド部分が挿入されるようにして形成される。
【００２９】
本実施の形態では、このようにしてシンクパターン内のピット部分に意図的にランド部分が挿入されるようにして製造された光ディスクＤが、パッケージメディアによる商品として出荷されることを想定している。
但し、この光ディスクＤは、フォーマットで定められたシンクパターンとはなっていないことから、そのままでは再生が不能な状態となっている。このため実施の形態では、このような光ディスクＤと対となる構成として、次の図５に示すような追記装置１を提案する。
【００３０】
図５において、先ず、追記装置１には、装填された光ディスクＤを回転駆動するためのスピンドルモータ１４が設けられる。追記装置１において、光ディスクＤは、図示されないターンテーブルに載置された状態で上記スピンドルモータ１４によって所定の回転駆動方式に従って回転駆動される。
【００３１】
そして、このように回転駆動される光ディスクＤに対し、図示する光ピックアップＯＰが記録信号（記録データ）の読み出しを行う。光ピックアップＯＰには、図示するようにしてレーザ光源となるレーザダイオードＬＤ、レーザ光を光ディスクＤの記録面に集光・照射するための対物レンズ２ａ、光ディスクＤからの上記レーザ光照射に基づく反射光を検出するフォトディテクタＰＤ等が備えられている。
さらに、上記対物レンズ２ａをフォーカス方向及びトラッキング方向に移動可能に保持する２軸機構２も設けられている。２軸機構２は、後述する２軸駆動回路６からのフォーカスドライブ信号ＦＤ、トラッキングドライブ信号ＴＤに基づいて対物レンズ２ａを上記フォーカス方向及びトラッキング方向に駆動する。
【００３２】
上記光ピックアップＯＰ内のフォトディテクタＰＤによって検出された反射光情報は、ＩＶ変換回路３にて電気信号に変換された後、マトリクス回路４に供給される。マトリクス回路４は、ＩＶ変換回路３からの反射光情報に基づいて再生信号ＲＦ、トラッキングエラー信号ＴＥ、フォーカスエラー信号ＦＥを生成する。
【００３３】
サーボ回路５は、マトリクス回路４からのトラッキングエラー信号ＴＥ、フォーカスエラー信号ＦＥに対し、それぞれ位相補償等のためのフィルタリングやループゲイン処理等の所定演算を行ってトラッキングサーボ信号ＴＳ、フォーカスサーボ信号ＦＳを生成する。そして、これらトラッキングサーボ信号ＴＳ及びフォーカスサーボ信号ＦＳを２軸駆動回路６に供給する。
２軸駆動回路６は、トラッキングサーボ信号ＴＳ、フォーカスサーボ信号ＦＳに基づいてトラッキングドライブ信号ＴＤ及びフォーカスドライブ信号ＦＤを生成し、これを２軸機構２のトラッキングコイル・フォーカスコイルに供給する。
【００３４】
この図に示すフォトディテクタＰＤ、ＩＶ変換回路３、マトリクス回路４、及び上記したサーボ回路５、２軸駆動回路６、２軸機構２によっては、トラッキングサーボループ、及びフォーカスサーボループが形成される。これらトラッキングサーボループ、及びフォーカスサーボループが形成されることで、光ディスクＤに照射されるレーザ光のビームスポットが光ディスクＤに形成されるピット列（記録トラック）をトレースし且つ適正なフォーカス状態で維持されるように制御が行われるようになっている。
【００３５】
また、上記マトリクス回路４にて生成された再生信号ＲＦは２値化回路７に供給され、ここで「０」「１」の２値化データが得られる。この２値化データは同期検出回路８、ＰＬＬ（Phase Locked Loop）回路９、及びアドレス検出回路１０に対して供給される。
【００３６】
ＰＬＬ回路９は、供給される２値化データに同期したクロックＣＬＫを生成し、これを必要な各部の動作クロックとして供給する。特に、このクロックＣＬＫは上記２値化回路７、及び次に説明する同期検出回路８、アドレス検出回路１０の動作クロックとしても供給される。
【００３７】
同期検出回路８は、上記２値化回路７から供給される２値化データから、先の図３に示したデータパターンを追記時のシンクパターンとして検出するように構成される。すなわち、本実施の形態の光ディスクＤの場合、リードインエリア内のシンク部分が、本来のＥＦＭシンクパターンとは異なるパターンとされているため、これに対応して同期検出回路８では、予め図３に示したようなパターンをシンクパターンとして検出するように構成されている。具体的には「２Ｔピット→３Ｔランド→２Ｔピット→２Ｔランド→２Ｔピット→１１Ｔランド」を追記時のシンクパターンとして検出する。
同期検出回路８により検出された同期信号Ｓｙｎｃは、アドレス検出回路１０、及び後述する追記パルス生成回路１２を始めとした必要な各部に対して供給される。
【００３８】
アドレス検出回路１０は、上記同期信号Ｓｙｎｃと２値化データとに基づき、アドレス情報ＡＤＲの検出を行う。検出されたアドレス情報ＡＤＲはコントローラ１１に供給される。
【００３９】
コントローラ１１は、例えばマイクロコンピュータにより構成され、当該追記装置１の全体制御を行う。
例えば、サーボ回路５に対して目標アドレスを指示することで、アクセス動作制御を行う。すなわち、目標アドレスを指示することで、サーボ回路５によってこの目標アドレスをターゲットとした光ピックアップＯＰのアクセス動作を実行させる。
また、例えばサーボ回路５に対してトラックジャンプ指令を行うことで、サーボ回路５によりトラッキングサーボループをオフとさせ、トラックジャンプ動作を実行させるなどの制御処理も可能とされている。
【００４０】
追記パルス生成回路１２は、コントローラ１１からの指示に基づき、同期検出回路８から供給される同期信号Ｓｙｎｃに基づく追記パルス生成動作を行う。追記パルス生成回路１２により生成された追記パルスＷｒｐは、レーザ制御部１３に供給される。
レーザ制御部１３は、上記追記パルスＷｒｐに基づき、光ピックアップＯＰ内のレーザダイオードＬＤのレーザパワーを制御する。具体的にレーザ制御部１３は、上記記録パルスＷｒｐにより示されるタイミングに基づきレーザダイオオードＬＤのレーザパワーが再生パワーから所定の記録パワーとなるように制御を行う。
【００４１】
ここで、上記構成による追記装置１による追記動作について説明する。
先ず、追記が行われるにあたっては、光ディスクＤが装填される。
コントローラ１１は、このような光ディスクＤの装填、或いは装填後における図示されない操作部からの追記開始のための操作入力が行われたこと等に応じ、光ディスクＤのリードインエリアへのアクセス動作制御を実行して、光ディスクＤからのデータ読み出し動作を開始させる。またこれと共に、追記パルス生成回路１２に対して動作開始指示を行う。
【００４２】
読み出し動作の開始に応じては、２値化回路７からの２値化データの出力が開始されて、同期検出回路８による同期検出が開始される。
追記パルス生成回路１２では、上記コントローラ１１からの開始指示後、同期検出回路８から供給される同期信号Ｓｙｎｃに基づくタイミングで追記パルスＷｒｐをレーザ制御部１３に対して出力する。
このような動作により、光ディスクＤのリードインエリア内における各シンク位置に挿入されたランド部分を対象として、追記のためのレーザ光を照射することができ、これによって当該ランド部分をピットに相当する部分に変化させる（以下ピット化とも呼ぶ）ことができる。
【００４３】
ここで、ＲＯＭディスクに対して所定の記録パワーによるレーザ光を照射して、ランド部分をピット化する、すなわちランド部分で得られる再生信号振幅をピット部分での再生信号振幅とみなせるレベルに変化させるという技術については、例えば下記の参考文献に記載されているように、既に知られた技術である。
参考文献：国際公開第WO 02/101733号パンフレット
【００４４】
上記のようにして本実施の形態の追記装置１によれば、光ディスクＤにおいて所定のピット部分に挿入されたランド部分に対する追記を行って、その部分をピット化することができる。すなわち、これにより再生不能な状態にあった光ディスクＤを再生可能な状態とすることができる。
【００４５】
続いて、次の図６により、上記のような追記装置１と光ディスクＤとによって実現することのできる、実施の形態としての盗難防止方法（防犯方法）について説明する。
先ず、前提として、本実施の形態では、先の図３に示した製造方法により製造された光ディスクＤが、パッケージメディアによる商品として流通することを想定している。このようなパッケージメディアによる商品としての光ディスクＤは、例えば図中のＣＤショップ等の店舗Shpにおいて陳列される。
ここで、図中客Ａとして、正規の購入者を想定すると、この客Ａは商品としての光ディスクＤを手に取り、図中レジＲｇにて店員Ｂに対し購入代金の支払いを行う。店員Ｂは、購入代金の支払いに応じ、光ディスクＤを追記装置１に装填する。
【００４６】
これに応じ追記装置１は、装填された光ディスクＤに対して先に説明した追記動作を行う。すなわち、リードインエリア内の各シンク位置に形成されるべき１１Ｔピット部分に挿入されたランド部分を対象とした追記動作が行われる。
【００４７】
このような追記装置１の動作により、リードインエリア内の各シンク位置では、例えば次の図７に示されるようにして製造時に挿入されたランド部分が追記によりピット化されて、本来の１１Ｔピット→１１ＴランドのＥＦＭシンクパターンが復元される。すなわち、これによってリードインエリア内が再生可能な状態となり、リードインエリア内のＴＯＣ情報の再生が可能となって、ディスク全体の再生が可能となる。
【００４８】
このようにして本実施の形態の盗難防止方法によれば、例えば商品購入時の代金の支払いに応じて光ディスクＤが追記装置１に対して装填される、という所定条件の成立に応じてのみ、追記装置１による追記動作が行われて、光ディスクＤを再生可能な状態とすることができる。
これによれば、例えば万引き犯等、光ディスクＤをそのまま不正に店外に持ち出した者は光ディスクＤについての再生が不能となり、その一方で正規に購入した者は追記装置１による追記を受けた再生可能な状態の光ディスクＤを入手することができる。このような手法によって万引き意欲を削ぐことができ、盗難による犯罪被害を効果的に防止することができる。
【００４９】
ここで、これまでの説明では、光ディスクＤがＣＤである場合を例示したが、他の種別の光ディスク記録媒体についても同様の考えに基づき盗難防止を図ることができる。
以下では、一例としてＤＶＤ（Digital Versatile Disc）とＢＤ（Blu-ray Disc）への適用例について説明する。
【００５０】
先ずは図８〜図１０を参照して、ＤＶＤへの適用例について説明する。
ＤＶＤの場合、記録変調符号化としてはＥＦＭ＋変調が採用される。図８は、ＥＦＭ＋変調が採用される場合のシンクパターンを例示している。
ＥＦＭ＋の場合、シンクパターンは３２Ｔで構成されており、シンクパターン内には必ず１４Ｔのピット区間が形成されることになる。図８では一例として、全３２種あるＥＦＭ＋のシンクパターンのうち、ＳＹ０（State１&２ Primary Sync Codes）を示している。このＳＹ０のシンクは、図示するようにして４＋αＴのピット→３Ｔランド→３Ｔピット→４Ｔランド→１４Ｔピット→４Ｔランドで構成されるが、このようにしてＥＦＭ＋の場合、シンクパターン内には必ず１４Ｔのピット区間が得られる。
なお、確認のために述べておくと、ＥＦＭ＋の場合、シンクパターンはＳＹ０〜ＳＹ７の８種が規定され、またこれらＳＹ０〜ＳＹ７はそれぞれ４種のStateがあるため、合計で３２種のシンクパターンが存在するものである。
【００５１】
ＤＶＤの場合は、例えば上記のような１４Ｔのピット区間に対してランド部分を挿入すればよい。
図９は、その場合のランド部分の挿入例を示している。図示するようにしてこの場合は、１４Ｔの区間内に対し、２Ｔランドを２Ｔピットおきに計３つ挿入するものとする。すなわち、シンクパターン内に形成されるべき１４Ｔのピット区間は、「２Ｔピット→２Ｔランド→２Ｔピット→２Ｔランド→２Ｔピット→２Ｔランド→２Ｔピット」に変更されるものとなる。
【００５２】
この場合も、このようなシンクパターンの変更については、リードインエリア内のControl Data全域にわたって行うものとする。ＤＶＤの場合、リードインエリア内のControl DataにはＰＦＩ（Physical Format Information）と呼ばれる管理情報が記録されるので、このＰＦＩ内の全シンクパターンについて図９のようなランド部分の挿入によるシンクパターンの変更を施すことになる。
【００５３】
確認のために、この場合において行われるべき製造工程について説明しておく。
先ず、図４に示したフォーマット化工程Ｓ１１では、コンテンツデータに対し規格に応じたフォーマット化処理を施すことはこの場合も同様である。そして、可変長変調工程Ｓ１２では、この場合はフォーマット化工程Ｓ１１により得られたデータについてＥＦＭ＋変調を施すことになる。そして、シンクパターン挿入工程Ｓ１２ａとしては、リードインエリア内のControl Dataの各シンクパターン内の１４Ｔピット区間となるべき位置のパターンが、図９に示した「２Ｔピット→２Ｔランド→２Ｔピット→２Ｔランド→２Ｔピット→２Ｔランド→２Ｔピット」に対応したパターンとなるようにＥＦＭ＋変調データに対するデータの挿入を行う。
この場合も原盤生成工程Ｓ１３により、可変長変調工程Ｓ１２により得られたデータに応じたレーザカッティングにより金属原盤Ｄ１４を生成するのはＣＤの場合と同様となり、またディスク形成工程Ｓ１５で金属原盤Ｄ１４に応じてスタンパを作成する点も同様となる。
【００５４】
但し、ＤＶＤの場合は、スタンパによりディスク基板を生成し、これに対し反射膜を成膜する以外に、別途ディスク基板と同等の厚みを有する樹脂基板を用意しておき、上記ディスク基板とこの基板とを貼り合わせることになる。このように基板貼り合わせにより生成されたディスクに対し、必要に応じてレーベル印刷を施してＤＶＤによる光ディスクＤを完成する。
【００５５】
このようにして生成されたＤＶＤによる光ディスクＤについても、同様に追記装置１によってランド部分をピット化してシンクパターンを復元することで、光ディスクＤを再生可能な状態とすることができる。
この場合も追記装置１としては、同期検出回路８が、例えば図９に示したような１４Ｔのパターンを含むパターン全体を予め追記時のシンクパターンとして検出するように構成しておき、追記パルス生成回路１２がこの同期検出回路８からの同期信号Ｓｙｎｃに応じて追記パルスＷｒｐを出力して追記動作を行うようにしておく。
これにより、次の図１０に示されるようにして、図９に示した１４Ｔ区間内に挿入された計３つのランド部分をピット化することができ、この結果、光ディスクＤを再生可能な状態とすることができる。
【００５６】
なお、確認のために述べておくと、この場合としても、上記のような追記装置１と光ディスクＤとを用いて、先の図６にて説明したような盗難防止方法を採ることで、盗難防止効果を得ることができる。
【００５７】
続いて、ＢＤの場合について説明する。
ＢＤの場合、記録変調符号化としてはＲＬＬ（１，７）ＰＰ（Parity preserve/prohibit、ＲＬＬ：Run Length Limited）変調が採用される（以下、単に１−７ｐｐ変調とも呼ぶ）。図１１は、１−７ｐｐが採用される場合のシンクパターンの一例を示している。
１−７ｐｐのシンクパターンは、ＦＳ０〜ＦＳ８の計９種が存在する。この図１１ではＦＳ０のシンクパターンを例示しているが、１−７ｐｐのシンクパターン内には必ず９Ｔのピット部分が形成されることになる。ちなみにＦＳ０のシンクパターンは、図示するようにして「３Ｔランド→２Ｔピット→９Ｔランド→９Ｔピット→７Ｔランド」となる。
【００５８】
ＢＤの場合、上述のようにして全シンクで共通となる９Ｔのピット部分に対し、次の図１２に示すようにしてランド部分を挿入する。具体的には、この９Ｔのピット部分に対し４Ｔのランド部分を、その前側に３Ｔのピット、後側に２Ｔピットが形成されるようにして挿入する。すなわち、挿入後の９Ｔピット区間は、「３Ｔピット→４Ｔランド→２Ｔピット」に変更されるものである。
【００５９】
ここで、ＢＤの場合、ＣＤやＤＶＤでのリードインエリアに相当する領域として、Inner Zoneと呼ばれる領域が規定されている。このInner Zoneには、ＰＩＣ（Parmanent Information & Control）と呼ばれる、ユーザデータエリア内のデータ管理を行うための管理情報が記録される。なお、本発明においては、このようにユーザデータエリア内のデータ管理を行うための管理情報が記録された内周領域のことを、総称して「リードインエリア」としている。
ＢＤの場合も、リードインエリアに相当するこのInner Zone内のＰＩＣ全域において、シンクパターン内の９Ｔピットが形成されるべき位置に上述のような４Ｔランドを挿入する。
【００６０】
ＢＤの場合も、先の図４に示したフォーマット化工程Ｓ１１では、コンテンツデータに対し規格に応じたフォーマット化処理を施すという点は同様である。そして、可変長変調工程Ｓ１２では、フォーマット化工程Ｓ１１により得られたデータについて１−７ｐｐ変調を施すことになる。シンクパターン挿入工程Ｓ１２ａとしては、Inner ZoneのＰＩＣ内の各シンクパターン内の９Ｔピット区間となるべき位置のパターンが、図１２に示した「３Ｔピット→４Ｔランド→２Ｔピット」に対応したパターンとなるように１−７ｐｐ変調データに対するデータの挿入を行う。
【００６１】
原盤生成工程Ｓ１３では、このような可変長変調工程Ｓ１２により得られるデータに応じたレーザカッティングにより金属原盤Ｄ１４を生成する。そして、ディスク形成工程Ｓ１５では、ＣＤの場合と同様に上記金属原盤Ｄ１４に基づきスタンパを作成し、このスタンパに基づいてディスク基板を生成し、さらに反射膜の成膜を行う。但し、ＢＤの場合、反射膜の上層に対し、例えばスピンコート法などで紫外線硬化樹脂を成膜しＵＶ照射によりカバー層を形成する、或いはポリカシートの接着によりカバー層を形成することになる。その上で、この場合も必要に応じレーベル印刷を施して光ディスクＤを完成する。
【００６２】
このようにして生成されたＢＤによる光ディスクＤについても、同様に追記装置１によってランド部分をピット化してシンクパターンを復元することで、光ディスクＤを再生可能な状態にすることができる。
この場合も追記装置１としては、同期検出回路８が、例えば図１２に示したような９Ｔのパターンを含むパターン全体を予め追記時のシンクパターンとして検出するように構成しておき、追記パルス生成回路１２がこの同期検出回路８からの同期信号Ｓｙｎｃに応じて追記パルスＷｒｐを出力して追記動作を行うようにしておく。これによって次の図１３に示されるようにして、図１２に示した９Ｔ区間内に挿入された４Ｔのランド部分をピット化することができ、光ディスクＤを再生可能な状態とすることができる。
【００６３】
そしてこの場合も、この追記装置１と光ディスクＤとを用い、先の図６にて説明したような盗難防止方法を採ることで、効果的に盗難防止を図ることができる。
【００６４】
ところで、これまでの説明においては、挿入されたランド部分も含めたパターンを追記時のシンクパターンとして検出し、その検出結果に基づきランド部分を対象とした追記を行う場合を例示したが、他の手法によってランド部分を対象とした追記を行うこともできる。
その場合、例えば次の図１４に示すようにして、予め光ディスクＤのリードインエリアとして規定された領域よりも内周側の領域において、リードインエリア内のシンク間隔と等間隔となるようにした所定のデータパターン（図中、助走用シンクパターン）を記録するものとしておく。
一方、追記側では、追記装置１の同期検出回路８を、この助走用シンクパターンとしてのデータパターンをシンクとして検出した結果に基づき同期信号Ｓｙｎｃを出力するように構成しておく。また、これと共にシンクの内挿機能を与えておく。
この場合の追記動作としては、例えばディスク装填に応じ、先ずはリードインエリアの開始部分ではなくこの助走用シンクパターンが記録される領域の先頭にアクセスするようにしておく。これによっては、上記同期検出回路８によって助走用シンクパターンのタイミングごとに同期信号Ｓｙｎｃが出力される。そして、読み出し位置がリードインエリア内に到達したときには、上記の内挿機能によってそれまでの助走用シンクの検出タイミングに基づくタイミングで同期信号Ｓｙｎｃが出力され続けるものとなる。
この場合もパルス生成回路１２では、同期信号Ｓｙｎｃに基づくタイミングで追記パルスＷｒｐを出力する。これにより、リードインエリア内の所定ピットに対して挿入されたランド部分を対象とした追記動作を行うことができる。
【００６５】
このようにして、予め助走用シンクパターンを記録しておき、その検出タイミングからリードインエリア内のシンク間隔を推定した結果に基づくことで、挿入されたランド部分のタイミングを得て適正に追記動作を行うことができる。すなわち、このような手法によっても挿入したランド部分を適正にピット化でき、シンクパターンを復元して光ディスクＤを再生可能な状態に変化させることができる。
【００６６】
以上、本発明の実施の形態について説明したが、本発明としてはこれまでに説明した具体例に限定されるべきものではない。
例えばこれまでの説明では、リードインエリア内のシンクパターン中に形成されるべき所定長ピット部分に対しランド部分を挿入する場合を例示したが、このようにして、シンク部分を対象としたランド部分の挿入を行うことで、その分少ないランド部分挿入個数で効率良く再生不能な状態となる光ディスクＤを生成することができる。
例えば、仮にシンク以外の部分に挿入したとすると、挿入部分を含むピット部分のデータのみが再生不能となるに止まるが、シンクを対象としてランド部分の挿入を行えば、そのシンクが付されたフレーム全体の再生を不能とすることができるものである。
【００６７】
また、このようにシンク部分を対象とすることによっては、光ディスクＤに記録されるコンテンツデータの内容が異なる（コンテンツのタイトルが異なる）場合にも、挿入位置は共通にできるというメリットもある。
当然のことながら、タイトルが異なると、シンク以外のデータ内容も異なるので、その場合には適宜必要な長さを有する所定長のピット部分を対象としてランド部分を挿入することになる。すなわち、このことによってタイトルが異なる光ディスクＤごとにランド部分の挿入位置が異なってしまうことになる。
これに伴う不都合としては、先ず、製造時においてシンクパターン挿入工程Ｓ１２ａを共通化することができなくなるという点が挙げられる。また、追記装置１側でも、タイトルに応じて適宜追記対象位置を変更しなければならなくなってしまう。
【００６８】
ここで、このようなタイトルごとの追記対象位置の可変設定を実現するためには、例えば追記装置１をネットワーク接続が可能に構成した上で、予めネットワーク上の所定サーバにタイトルごとの追記位置を示す情報を保持させておく。その上で、追記装置１が、装填に応じ光ディスクＤのタイトル情報を取得し、上記サーバにアクセスして取得されたタイトル情報に応じた追記位置の情報を取得するといった手法を採ることになる。このために、この場合の追記装置１はネットワーク接続機能を追加したり、追記のための処理が複雑化するなど、装置構成の簡易化が図られないものとなってしまう。
【００６９】
これに対し本例のようにシンクパターンを対象としてその中に形成されるべき所定のピット部分に対してランド部分を挿入するものとしておけば、各タイトルで挿入位置・追記位置は共通化することができ、製造時のシンクパターン挿入工程Ｓ１２ａの共通化、及び追記装置１の構成の簡略化を図ることができる。
【００７０】
また、このようにしてタイトルが異なる場合にもランド部分の挿入位置を共通化するという観点に立てば、ランドの挿入位置はシンクパターン内に限定せず、少なくとも「フォーマット上各光ディスクＤで共通位置に記録されるべきとされる所定のデータパターン」を対象として行えばよい。具体的には、このような共通位置となるべき所定のデータパターン内に形成されるべき所定のピット部分に対してランド部分を挿入するものとし、追記装置１としてはそのランド部分を対象とした追記を行うものとすることで、上記のようなシンクを対象とする場合と同様の効果を得ることができる。
【００７１】
また、実施の形態では、ランド部分の挿入を、リードインエリア内を対象として行うものとしたが、これによっても少ないランド部分挿入数で効率的に光ディスクＤを再生不能な状態とすることができる。すなわち、リードインエリア内には、先にも述べたようにユーザデータエリア内のデータ管理を行うための管理情報が書き込まれているので、この部分を再生不能とするのみで、効率的にディスク全体の再生を不能とすることができるものである。
また、挿入箇所が少なければ、その分、追記の対象部分も少なくて済む。先の図６に示したように、光ディスクＤと追記装置１とを用いた盗難防止の手法としては、商品購入に応じて追記装置１により光ディスクＤに対する追記を行うことを前提として盗難防止を図るものである。これを考慮すると、追記箇所が少なければ、その分客の待ち時間も短くでき、この結果より優れたビジネスモデルを実現することができる。
【００７２】
また、リードインエリアなど所定の領域内に限定せず、単にシンク部分を対象としてランド部分の挿入及びそれに対する追記を行うようにすることもできる。このようにした場合も、先に説明したような対象をシンク部分とすることによる効果を得ることができる。
【００７３】
また、これまでの説明では、ランド部分の挿入対象領域として、リードインエリアのみを例示したが、他の領域を対象領域とすることもできる。
例えばＣＤ−ＲＯＭのフォーマットの場合、リードインエリア外のユーザデータエリア内において、例えばＦＡＴ（File Allocation Table）などのファイルシステムの管理情報を格納する領域がある。このようなファイルシステム管理情報としても、例えばＴＯＣなどの情報と同様、ユーザデータエリアに記録されるデータ全体を管理するための情報となるため、その部分に対して同様にランド部分を挿入し、追記装置１としてはそのランド部分を対象とした追記を行うものとすることで、同様の効果を得ることができる。
【００７４】
ここで、このようにしてランド部分の挿入対象領域をファイルシステム管理情報が記録される領域とする場合も、シンクパターン内に形成されるべき所定長ピットを対象としてランド部分を挿入し、追記時はそこに対して追記を行うものとすれば、さらに上述したようなシンク部分を対象としたことによる効果を得ることができる。また、この場合としても、シンク以外の「フォーマット上各光ディスクＤで共通位置に記録されるべきとされる所定のデータパターン」内に形成されるべき所定のピット部分を対象とすることで、シンクを対象とする場合と同様の効果を得ることができる。
なお、このようなシンク部分などを対象とせず、タイトルごとのランド部分挿入位置の共通化を図らないとした場合には、例えば先に説明したような追記装置１の構成を採ることで、適正に光ディスクＤを再生可能な状態とすることができる。
【００７５】
また、これまでの説明では、本発明の光ディスク記録媒体がＣＤ、ＤＶＤ、ＢＤの何れかに適用される場合を例示したが、本発明としては、ピット・ランドの組み合わせで情報が記録され、光の照射によってそれらピット・ランドからの反射光に基づき情報の読み出しが行われる光ディスク記録媒体であれば、例示したもの以外にも好適に適用することができる。
【００７６】
また、実施の形態では、盗難防止方法（防犯方法）として、光ディスクＤの購入に応じて光ディスクＤが追記装置１に装填される、という条件成立に応じ、光ディスクＤに対する追記動作を行って再生可能な状態に復元する場合を例示したが、例えば光ディスクＤとしての商品購入に応じ追記装置１に対し所定の操作入力が行われる、という条件成立に応じて追記動作を開始するものとしてもよい。或いは、予めレジＲｇにおける決済装置と追記装置１とを通信可能な状態に接続しておき、購入代金の支払いに応じ決済装置側からその旨を通知する支払い完了通知信号を追記装置１に送信するものとし、追記装置１は、例えばこの支払い完了通知信号による許可を受けた状態で光ディスクＤが装填された場合にのみ追記動作を開始する、といったこともできる。または、この場合も所定の操作入力に応じて追記動作を開始するようにしてもよい。
本発明において、このように光ディスクＤを再生可能な状態とするための追記動作としては、商品としての光ディスクＤの購入に応じて行われることが想定される所定の条件の成立に応じて行うものとすればよい。これにより、図６にて説明した手法と同様に、効果的な盗難防止を図ることができる。
【図面の簡単な説明】
【００７７】
【図１】実施の形態の光ディスク記録媒体の平面図である。
【図２】ＣＤの場合の本来のシンクパターンを模式的に示した図である。
【図３】ＣＤの場合のシンクパターンへのランド部分の挿入例について示した図である。
【図４】実施の形態の光ディスク記録媒体の製造方法について説明するための図である。
【図５】実施の形態の追記装置の内部構成を示すブロック図である。
【図６】実施の形態としての盗難防止方法について説明するための図である。
【図７】追記動作によって図２に示すシンクパターンが復元されることについて説明するための図である。
【図８】ＤＶＤの場合の本来のシンクパターンを模式的に示した図である。
【図９】ＤＶＤの場合のシンクパターンへのランド部分の挿入例について示した図である。
【図１０】追記動作によって図８に示すシンクパターンが復元されることについて説明するための図である。
【図１１】ＢＤの場合の本来のシンクパターンを模式的に示した図である。
【図１２】ＢＤの場合のシンクパターンへのランド部分の挿入例について示した図である。
【図１３】追記動作によって図１１に示すシンクパターンが復元されることについて説明するための図である。
【図１４】助走用シンクパターンについて説明するための図である。
【符号の説明】
【００７８】
Ｄ  光ディスク、１  追記装置、２  ２軸機構、２ａ  対物レンズ、３  ＩＶ変換回路、４  マトリクス回路、５  サーボ回路、６  ２軸駆動回路、７  ２値化回路、８  同期検出回路、９  ＰＬＬ回路、１０  アドレス検出回路、１１  コントローラ、１２  追記パルス生成回路、１３  レーザ制御部、１４  スピンドルモータ、ＯＰ  光ピックアップ、ＰＤ  フォトディテクタ、ＬＤ  レーザダイオード
【図１】
2008159212.tif 000003
【図２】
2008159212.tif 000004
【図３】
2008159212.tif 000005
【図４】
2008159212.tif 000006
【図５】
2008159212.tif 000007
【図６】
2008159212.tif 000008
【図７】
2008159212.tif 000009
【図８】
2008159212.tif 000010
【図９】
2008159212.tif 000011
【図１０】
2008159212.tif 000012
【図１１】
2008159212.tif 000013
【図１２】
2008159212.tif 000014
【図１３】
2008159212.tif 000015
【図１４】
2008159212.tif 000016